(57)【要約】【課題】熱はどうしてできるのか。引力となっている磁気の光子はどのようになっているのか。地球の引力はどのようにできるのか。【解決手段】地球の中で、原子の電子のラブは自転しながら公転し、磁気の光子と電気の光子を作る。電気の光子は遠赤外線の軌道になると熱を発する。これは、磁気の光子が大きくなり、１個１個分離する時、電気の光子の軌道が切れるため、熱を発する。電気の光子の軌道が切れて熱の粒子になる。１個１個に分離した磁気の光子は地表から出、引力になる。１個の磁気の光子の軌道エネルギーは、６．１１２×１０−５７Ｊｍです。１原子が作る引力となる磁気の光子の軌道エネルギーは１．３６１×１０−３２Ｊｍであり、これは、１．３６１×１０−３２Ｊｍ÷（６．１１２×１０−５７Ｊｍ）＝２．２２６×１０２４個の磁気の光子でできている。これは、１秒間に電子のラブが作る磁気の光子の数です。地球の引力は、地表の原子が作ると考える。【選択図】図２
2008193894.tif 000002
【特許請求の範囲】
【請求項１】
私は、２００８年１月４日に提出した特許願において、速度２＝加速度と考えたがこれは誤りです。加速度を速度２と訂正します。
【請求項２】
私は、２００８年１月４日に提出した特許願において、磁気の光子１束のエネルギーと記しました。これは、電子のラブが１公転でできる磁気の光子のエネルギーです。
【請求項３】
地球の中において、光子はどのようになっているか。
地下において、電気の光子は、遠赤外線の軌道になったとき、熱を発する。
この事について、私は、２００７年２月１８日に提出した、特願２００７−６７５０６、「引力と熱」の「請求項１１」に記した。
（・地下６５００Ｋｍでは、温度は７３２７℃です。
この場では、電子のラブの公転軌道＝１．０５８×１０−１０ｍ÷７３２７１／２＝１．０５８×１０−１０ｍ÷８５．６
１．０５８×１０−１０ｍに、８５．６個の電子のラブが存在する。
８５．６個の電子のラブが１秒間公転して作る電気の光子の数は、８５．６×（７．９６×１０７）２個です。
これらの電気の光子が遠赤外線の波長になったとき、熱エネルギーを発する。
遠赤外線の波長を２×２．０６６×１０−５ｍとすると、１秒間でできる熱エネルギーは、
１秒間でできる電気の光子の数×１個の電気の光子のエネルギー＝８５．６×（７．９６×１０７）２個×１．２３３×１０−４１Ｊｍ÷（２．０６６×１０−５ｍ）＝８５．６×３．７８１４×１０−２１Ｊ＝８５．６×１℃＝８５．６℃です。
この場の温度は、８５．６２℃＝７３２７℃です。）
このように、光子は温度を作ってから地球を出る。そして地磁気になる。
温度を作る光子の軌道は２．０６６×１０−５ｍで、この軌道より大きな軌道になり、光子は地球を出る。地磁気を作っているのは、２．０６６×１０−５ｍより大きな軌道の光子です。
【請求項４】
熱はどのようにできるか。引力はどうしてできるか。
遠赤外線の光子は熱を発する。熱は電気の光子のエネルギーです。熱は電気の光子のエネルギーが熱エネルギーに変換されたものです。
電子のラブが自転しながら公転し、磁気の光子のエネルギーと電気の光子のエネルギーを作ります。１公転で、７．９６×１０７回自転します。遠赤外線の軌道になって、電気の光子が熱に変換されます。残ったものは、磁気の光子です。
この磁気の光子が引力になります。
【請求項５】
遠赤外線の軌道になると、電気の光子はどうして熱に変換するのか。
遠赤外線の軌道になると、磁気の光子は１個１個独立しようとします。それで、電気の光子の軌道は切れます。電子の光子の軌道が切れる時、電気の光子のエネルギーは熱エネルギーに変換されます。
例えば、遠赤外線の軌道を、２×１０−５ｍとします。
２×１０−５ｍの電気の光子の軌道には、２×１０−５−８ｍ＝２×１０−１３ｍの軌道の磁気の光子が約１０８個存在します。この磁気の光子は１個１個離れようとします。それで、電気の光子の２×１０−５ｍの軌道は切れます。この時、電気の光子のエネルギーは熱エネルギーに変換されます。
【請求項６】
熱とは何か。熱粒子の半径はいくらか。熱粒子１個のエネルギーはいくらか。
熱粒子１個の軌道エネルギーはいくらか。１秒間にできる熱粒子のエネルギーはいくらか。
熱粒子が１０２４個で１束になるとすると、このエネルギーはいくらか。
熱とは、電気の光子の軌道が切れたものです。
電気の光子の軌道は、磁気の光子が１個１個分離する時、約１０８個に切れます。その切れたものが熱です。切れた軌道が熱の粒子になります。熱の粒子を「熱粒子」となづける。
・熱粒子の半径はいくらか。
１個の熱粒子の半径をｒとします。
熱粒子の２πｒ＝遠赤外線の波長÷１０８個、です。２ｒ＝遠赤外線の波長÷１０８個÷π
例えば、遠赤外線の波長を７．５×１０−５ｍとしますと、
熱粒子のｒ＝７．５×１０−５ｍ÷１０８個÷２π＝１．１９４×１０−１３ｍです。軌道は、２×１．１９４×１０−１３ｍ＝２．３８８×１０−１３ｍです。
・熱粒子１個のエネルギーはいくらか。
１個の電気の光子の軌道が１０８等分され、１個の熱粒子になりますから、
熱粒子１個のエネルギーは、電気の光子１個のエネルギー÷１０８個＝１．２３３×１０−４１Ｊｍ÷（遠赤外線の波長÷２）÷１０８個、です。
例えば、遠赤外線の波長を７．５×１０−５ｍとすると、熱粒子１個のエネルギーは、
１．２３３×１０−４１Ｊｍ÷（７．５×１０−５ｍ÷２）÷１０８個＝３．２８８×１０−４５Ｊです。
・熱粒子１個の軌道エネルギーはいくらか。
軌道×熱粒子１個のエネルギー＝遠赤外線の波長÷１０８個÷π×１．２３３×１０−４１Ｊｍ÷（遠赤外線の波長÷２）÷１０８個＝７．８５４×１０−５８Ｊｍです。
例えば、遠赤外線の波長を７．５×１０−５ｍとすると、熱粒子１個の軌道エネルギーは、
軌道×熱粒子１個のエネルギー＝２．３８８×１０−１３ｍ×３．２８８×１０−４５Ｊ＝７．８５２×１０−５８Ｊｍです。
・１秒間にできる熱粒子のエネルギーはいくらか。
１秒間に電子のラブは、約１０１６回公転するので、電気の光子は約１０１６個できますから、
１個の熱粒子のエネルギー×１公転でできる熱粒子の数×１秒間の公転数＝３．２８８×１０−４５Ｊ×１０８個×１０１６公転＝３．２８８×１０−２１Ｊ  約１℃です。
・熱粒子が１０２４個で１束になるとすると、このエネルギーはいくらか。
３．２８８×１０−４５Ｊ×１０２４個＝３．２８８×１０−２１Ｊ  約１℃です。
・１秒間にできる熱粒子の軌道エネルギーはいくらか。
１秒間にできる熱粒子の軌道エネルギー＝１個の熱粒子の軌道エネルギー×１秒間にできる熱粒子の数＝７．８５４×１０−５８Ｊｍ×１０２４個＝７．８５４×１０−３４Ｊｍです。
【請求項７】
引力となる磁気の光子はどのような磁気の光子か。
電気の光子は、遠赤外線に変換し、無くなり、磁気の光子が残ります。磁気の光子は１個１個分離します。この公転の輪から分離した磁気の光子が引力に関与します。
引力は磁気の光子のエネルギーであり、この磁気の光子は自転でできた磁気の光子です。
【請求項８】
１原子でできる、引力となる磁気の光子は、何個の磁気の光子か。１個の磁気の光子の軌道はいくらか。１個の磁気の光子のエネルギーはいくらか。１秒間にできる磁気の光子のエネルギーはいくらか。１秒間にできる磁気の光子の軌道エネルギーはいくらか。
引力は磁気の光子の軌道エネルギーであり、この磁気の光子は自転でできた磁気の光子です。
磁気の光子１個の軌道エネルギーは、６．１１２×１０−５７Ｊｍです。
この事に関して、私は、２００６年１１月１５日に提出した、特願２００６−３３６３５２、「素粒子の軌道質量と引力と熱」に記した。
１原子でできる、引力となる磁気の光子の軌道エネルギーは、１．３６１×１０−３２Ｊｍです。
・１原子でできる、引力となる磁気の光子は、何個の磁気の光子か。
１原子でできる、引力となる磁気の光子の軌道エネルギー÷磁気の光子１個の軌道エネルギー＝１．３６１×１０−３２Ｊｍ÷（６．１１２×１０−５７Ｊｍ）＝２．２２７×１０２４個、です。
１原子で引力になっている磁気の光子のエネルギー１．３６１×１０−３２Ｊは、２．２２７×１０２４個の磁気の光子です。これは、１秒間の自転数です。
即ち、電子のラブが１秒間に作った磁気の光子が、遠赤外線の軌道で、電気の光子の軌道が切れて、１個１個に分離した。引力となっているのはこの１秒間にできた磁気の光子です。
・１個の磁気の光子の軌道はいくらか。
１個の磁気の光子の軌道は、遠赤外線の波長÷２÷１０８個です。
例えば、遠赤外線の波長が７．５×１０−５ｍの場合、
磁気の光子１個の軌道＝７．５×１０−５ｍ÷２÷１０８個＝３．７５×１０−１３ｍ、です。
・１個の磁気の光子のエネルギーはいくらか。
１個の磁気の光子のエネルギーは、
１個の磁気の光子の軌道エネルギー÷磁気の光子の軌道＝６．１１２×１０５７Ｊｍ÷磁気の光子の軌道、です。
例えば、遠赤外線の波長が７．５×１０−５ｍの場合、
磁気の光子のエネルギー＝６．１１２×１０５７Ｊｍ÷（３．７５×１０−１３ｍ）＝１．６３×１０−４４Ｊ、です。
・１秒間にできる磁気の光子のエネルギーはいくらか。
１秒間にできる磁気の光子のエネルギーは、１秒間に、２．２２６×１０２４個できるとすると、
１個の磁気の光子のエネルギー×２．２２６×１０２４個、です。
例えば、遠赤外線の波長が７．５×１０−５ｍの場合、
１秒間にできる磁気の光子のエネルギー＝１．６３×１０−４４Ｊ×２．２２６×１０２４個＝３．６２８×１０−２０Ｊ、です。
・１秒間にできる磁気の光子の軌道エネルギーはいくらか。
１秒間にできる磁気の光子の軌道エネルギーは、
１個の磁気の光子の軌道エネルギー×磁気の光子の数
例えば、遠赤外線の波長が７．５×１０−５ｍの場合、
１秒間にできる磁気の光子の軌道エネルギー＝６．１１２×１０５７Ｊｍ×２．２２６×１０２４個＝１．３６１×１０−３２Ｊｍ、です。
この事によって、引力は１秒間にできる磁気の光子の軌道エネルギーであることが理解できた。
【請求項９】
地球の引力はどのようにできるか。
私は、２００７年１１月１９日に提出した、特願３２５２６３の「宇宙６」で、次のように記した。
（地球の核でできた電気の光子と磁気の光子は、地球の外に出て、地磁気になる。
地球のマントルでできた電気の光子と磁気の光子は、地球の外に出て、バン・アレン帯の外帯になる。
地球の地殻でできた電気の光子と磁気の光子は、地球の外に出て、バン・アレン帯の内帯になる。）
しかし、電気の光子のエネルギーは、熱エネルギーに変換し、無くなったので、残ったのは磁気の光子です。
それで、次のように訂正する。
地球の核でできた磁気の光子は、地球の外に出て、地磁気になる。
地球のマントルでできた磁気の光子は、地球の外に出て、バン・アレン帯の外帯になる。
地球の地殻でできた磁気の光子は、地球の外に出て、バン・アレン帯の内帯になる。
よって、
地表の引力になっているのは、地球の核や、マントルや、地殻でできた磁気の光子ではない。
地球の引力になっているのは、地表でできた磁気の光子である。
【請求項１０】
地表の磁気の光子のエネルギーはいくらか。
従来、地球の引力の計算は、地球の中央に地球の全ての質量があると考え、地表にある物質との距離を地球の半径とし、計算している。
・地表の磁気の光子の軌道エネルギーはいくらか。
地球が作る引力は、５．９７４×１０２４Ｋｇ×（６．６７２×１０−１１Ｎｍ２／Ｋｇ２）１／２＝５．９７４×１０２４Ｋｇ×８．１６８×１０−６Ｊｍ／Ｋｇ＝４．８８×１０１９Ｊｍ、です。
地球が作る引力は、４．８８×１０１９Ｊｍです。
地表の引力はいくらか。
地表の引力＝地球が作る引力÷地球の半径２＝４．８８×１０１９Ｊｍ÷（６．３７８×１０６ｍ）２＝１．２×１０６Ｊｍ
地表の引力は、１．２×１０６Ｊｍです。
また次のようにも計算できる。
１Ｋｇの引力×地球の引力÷１ｍ２＝９．８
地球の引力＝９．８×１ｍ２÷１Ｋｇの引力＝９．８×１ｍ２÷（６．６７２×１０−１１Ｎｍ２）１／２＝９．８×１ｍ２÷（８．１６８×１０−６）Ｊｍ＝１．２×１０６Ｊｍ
【請求項１１】
地表の引力は、地球の表面でできる引力の何倍か。それは地下何ｍまでの原子が作ったのか。
・地球の表面の原子数はいくらか。
地球の原子数は、６×１０２６個×５．９７４×１０２４Ｋｇ＝３．５８４×１０５１個です。
半径の原子数をｒとする。
４π÷３×ｒ３＝３．５８４×１０５１個
ｒ３＝３．５８４×１０５１個÷４π×３＝８５６×１０４８個
ｒ＝９．５×１０１６個
地球の表面の原子数は、
４πｒ２＝４π（９．５×１０１６個）２＝１．１３４×１０３５個、です。
・地球の表面の原子数でできる引力はいくらか。
１原子でできる引力×表面の原子数＝１．３６１×１０−３２Ｊｍ×１．１３４×１０３５個＝１．５４３×１０３Ｊｍ
・地表の表面の引力は、地球の表面でできる引力の何倍か。
地表の引力÷地球の表面でできる引力＝１．２×１０６Ｊｍ÷（１．５４３×１０３Ｊｍ）＝７．７７７×１０２、倍です。
・これは地下何ｍまでの原子か。
１原子の大きさは約１０−１０ｍですから、
１原子の大きさ×７７７個＝１０−１０ｍ×７７７＝７．７×１０−８ｍ、です。
地下７．７×１０−８ｍまでの原子が作る磁気の光子が地表の引力になっている。
しかし、地球の表面は、山や川や木があるので、ほぼ表面の原子の電子のラブが作る磁気の光子が地表の引力を作っていると考えられる。
【請求項１２】
地球の核やマントルや地殻から１秒間に出る磁気の光子のエネルギーはいくらか。
地球の核でできた電気の光子は熱となり、磁気の光子は１個１個に分離し、地球を出る。
地球を出る軌道は遠赤外線より大きいです。地表から出る軌道と同じ軌道の磁気の光子が出る。
地球の核から出る磁気の光子のエネルギー＝１原子で１秒間にできる引力となる磁気の光子のエネルギー×核の原子数＝１．３６１×１０−３２Ｊ×６×１０２６個×核の質量Ｋｇ＝１．３６１×１０−３２Ｊ×６×１０２６個×１．８７６×１０２４Ｋｇ＝４．０６３×１０２１Ｊ
地球の核から１秒間に出る磁気の光子のエネルギーは、４．０６３×１０２１Ｊです。これが地磁気になる。
地球のマントルから出る磁気の光子のエネルギー＝１原子で１秒間にできる引力となる磁気の光子のエネルギー×マントルの原子数＝１．３６１×１０−３２Ｊ×６×１０２６個×マントルの質量Ｋｇ＝１．３６１×１０−３２Ｊ×６×１０２６個×４．０５６×１０２４Ｋｇ＝３．３１２×１０１９Ｊ
地球のマントルから１秒間に出る磁気の光子のエネルギーは、３．３１２×１０１９Ｊです。これがバン・アレン帯の外帯の磁気になる。
地球の地殻から出る磁気の光子のエネルギー＝１原子で１秒間にできる引力となる磁気の光子のエネルギー×地殻の原子数＝１．３６１×１０−３２Ｊ×６×１０２６個×地殻の質量Ｋｇ＝１．３６１×１０−３２Ｊ×６×１０２６個×０．０４３×１０２４Ｋｇ＝３．５１１×１０１７Ｊ
地球の地殻から１秒間に出る磁気の光子のエネルギーは、３．５１１×１０１７Ｊです。これがバン・アレン帯の内帯の磁気になる。
【発明の詳細な説明】
【技術分野】
【０００１】  この発明は、熱と引力に関する。地球の引力に関する。
【背景技術】
【０００２】  熱は電子のラブが１秒間公転してできる電気の光子が遠赤外線になったときできる熱エネルギーです。１原子でできる引力となる磁気の光子の軌道エネルギーは、１．３６１×１０−３２Ｊｍです。地球の引力は、地球の中央に全質量を置き、物質との距離を地球の半径として計算する。
【発明の開示】
私は、２００８年１月４日に提出した特許願において、
惑星の軌道の速度２＝惑星の軌道のエネルギー＝太陽から出発する光子１個のエネルギー×太陽の表面の原子数×１０５Ｋｍ÷距離。
出発する磁気の光子のエネルギー＝引力＝出発する光子１個のエネルギー×地球の表面の原子数、と考えました。
この考えですと、地球の引力は、地球の表面の原子から出発する磁気の光子のエネルギーが作ることになります。
はたして、地球の引力はどのようにできるのでしょうか。
地球の中で、光子はどのようになっているのでしょうか。
【発明が解決しようとする課題】
【０００３】１．私は、２００８年１月４日に提出した特許願において、速度２＝加速度と考えたがこれは誤りです。加速度を速度２と訂正します。
２．私は、２００８年１月４日に提出した特許願において、磁気の光子１束のエネルギーと記しました。これは、電子のラブが１公転でできる磁気の光子のエネルギーです。
３．地球の中において、光子はどのようになっているか。
４．熱はどのようにできるか。引力はどうしてできるか。
５．遠赤外線の軌道になると、電気の光子はどうして熱に変換するのか
６．熱とは何か。熱粒子の半径はいくらか。熱粒子１個のエネルギーはいくらか。１秒間にできる熱粒子のエネルギーはいくらか。熱粒子が１０２４個で１束になるとすると、このエネルギーはいくらか。
７．引力となる磁気の光子はどのような磁気の光子か。
８．１原子でできる、引力となる磁気の光子は、何個の磁気の光子か。１個の磁気の光子の軌道はいくらか。１個の磁気の光子のエネルギーはいくらか。１秒間にできる磁気の光子のエネルギーはいくらか。１秒間にできる磁気の光子の軌道エネルギーはいくらか。
９．地球の引力はどのようにできるか。
１０．地表の磁気の光子のエネルギーはいくらか。
１１．地表の引力は、地球の表面でできる引力の何倍か。それは地下何ｍまでの原子が作ったのか。
１２．地球の核やマントルや地殻から１秒間に出る磁気の光子のエネルギーはいくらか。
【発明を解決するための手段】
【０００４】地球の中でできた電気の光子と磁気の光子は、地磁気となる。
この件に関して、私は、２００７年１１月１９日に提出した、特願３２５２６３の「宇宙６」に記した。
地球の核でできた電気の光子と磁気の光子は、地球の外に出て、地磁気になる。
地球のマントルでできた電気の光子と磁気の光子は、地球の外に出て、バン・アレン帯の外帯になる。
地球の地殻でできた電気の光子と磁気の光子は、地球の外に出て、バン・アレン帯の内帯になる。
それで、地球の引力になっているのは、地球の核や、マントルや、地殻でできた電気の光子と磁気の光子ではない。
地球の引力になっているのは、地表でできた磁気の光子である。
地球の中で、電気の光子と磁気の光子はどのようになっているかを調べると、熱と引力について理解できる。
【発明の実施態様】
【０００５】１．私は、２００８年１月４日に提出した特許願において、速度２＝加速度と考えたがこれは誤りです。加速度を速度２と訂正します。
２．私は、２００８年１月４日に提出した特許願において、磁気の光子１束のエネルギーと記しました。これは、電子のラブが１公転でできる磁気の光子のエネルギーです。
３．地球の中において、光子はどのようになっているか。
地下において、電気の光子は、遠赤外線の軌道になったとき、熱を発する。
この事について、私は、２００７年２月１８日に提出した、特願２００７−６７５０６、「引力と熱」の「請求項１１」に記した。
（・地下６５００Ｋｍでは、温度は７３２７℃です。
この場では、電子のラブの公転軌道＝１．０５８×１０−１０ｍ÷７３２７１／２＝１．０５８×１０−１０ｍ÷８５．６
１．０５８×１０−１０ｍに、８５．６個の電子のラブが存在する。
８５．６個の電子のラブが１秒間公転して作る電気の光子の数は、８５．６×（７．９６×１０７）２個です。
これらの電気の光子が遠赤外線の波長になったとき、熱エネルギーを発する。
遠赤外線の波長を２×２．０６６×１０−５ｍとすると、１秒間でできる熱エネルギーは、
１秒間でできる電気の光子の数×１個の電気の光子のエネルギー＝８５．６×（７．９６×１０７）２個×１．２３３×１０−４１Ｊｍ÷（２．０６６×１０−５ｍ）＝８５．６×３．７８１４×１０−２１Ｊ＝８５．６×１℃＝８５．６℃です。
この場の温度は、８５．６２℃＝７３２７℃です。）
このように、光子は温度を作ってから地球を出る。そして地磁気になる。
温度を作る光子の軌道は２．０６６×１０−５ｍで、この軌道より大きな軌道になり、光子は地球を出る。地磁気を作っているのは、２．０６６×１０−５ｍより大きな軌道の光子です。
４．熱はどのようにできるか。引力はどうしてできるか。
遠赤外線の光子は熱を発する。熱は電気の光子のエネルギーです。熱は電気の光子のエネルギーが熱エネルギーに変換されたものです。
電子のラブが自転しながら公転し、磁気の光子のエネルギーと電気の光子のエネルギーを作ります。１公転で、７．９６×１０７回自転します。遠赤外線の軌道になって、電気の光子が熱に変換されます。残ったものは、磁気の光子です。
この磁気の光子が引力になります。
５．遠赤外線の軌道になると、電気の光子はどうして熱に変換するのか。
遠赤外線の軌道になると、磁気の光子は１個１個独立しようとします。それで、電気の光子の軌道は切れます。電子の光子の軌道が切れる時、電気の光子のエネルギーは熱エネルギーに変換されます。
例えば、遠赤外線の軌道を、２×１０−５ｍとします。
２×１０−５ｍの電気の光子の軌道には、２×１０−５−８ｍ＝２×１０−１３ｍの軌道の磁気の光子が約１０８個存在します。この磁気の光子は１個１個離れようとします。それで、電気の光子の２×１０−５ｍの軌道は切れます。この時、電気の光子のエネルギーは熱エネルギーに変換されます。
６．熱とは何か。熱粒子の半径はいくらか。熱粒子１個のエネルギーはいくらか。熱粒子１個の軌道エネルギーはいくらか。１秒間にできる熱粒子のエネルギーはいくらか。熱粒子が１０２４個で１束になるとすると、このエネルギーはいくらか。
熱とは、電気の光子の軌道が切れたものです。
電気の光子の軌道は、磁気の光子が１個１個分離する時、約１０８個に切れます。その切れたものが熱です。切れた軌道が熱の粒子になります。熱の粒子を「熱粒子」となづける。
・熱粒子の半径はいくらか。
熱粒子の半径をｒとします。
熱粒子の２πｒ＝遠赤外線の波長÷１０８個、です。２ｒ＝遠赤外線の波長÷１０８個÷π
例えば、遠赤外線の波長を７．５×１０−５ｍとしますと、
熱粒子のｒ＝７．５×１０−５ｍ÷１０８個÷２π＝１．１９４×１０−１３ｍです。軌道は、２×１．１９４×１０−１３ｍ＝２．３８８×１０−１３ｍです。
・熱粒子１個のエネルギーはいくらか。
１個の電気の光子の軌道が１０８等分され、１個の熱粒子になりますから、
熱粒子１個のエネルギーは、電気の光子１個のエネルギー÷１０８個＝１．２３３×１０−４１Ｊｍ÷（遠赤外線の波長÷２）÷１０８個、です。
例えば、遠赤外線の波長を７．５×１０−５ｍとすると、熱粒子１個のエネルギーは、
１．２３３×１０−４１Ｊｍ÷（７．５×１０−５ｍ÷２）÷１０８個＝３．２８８×１０−４５Ｊです。
・熱粒子１個の軌道エネルギーはいくらか。
軌道×熱粒子１個のエネルギー＝遠赤外線の波長÷１０８個÷π×１．２３３×１０−４１Ｊｍ÷（遠赤外線の波長÷２）÷１０８個＝７．８５４×１０−５８Ｊｍです。
例えば、遠赤外線の波長を７．５×１０−５ｍとすると、熱粒子１個の軌道エネルギーは、
軌道×熱粒子１個のエネルギー＝２．３８８×１０−１３ｍ×３．２８８×１０−４５Ｊ＝７．８５２×１０−５８Ｊｍです。
・１秒間にできる熱粒子のエネルギーはいくらか。
１秒間に電子のラブは、約１０１６回公転するので、電気の光子は約１０１６個できますから、
１個の熱粒子のエネルギー×１公転でできる熱粒子の数×１秒間の公転数＝３．２８８×１０−４５Ｊ×１０８個×１０１６公転＝３．２８８×１０−２１Ｊ  約１℃です。
・熱粒子が１０２４個で１束になるとすると、このエネルギーはいくらか。
３．２８８×１０−４５Ｊ×１０２４個＝３．２８８×１０−２１Ｊ  約１℃です。
・１秒間にできる熱粒子の軌道エネルギーはいくらか。
１秒間にできる熱粒子の軌道エネルギー＝１個の熱粒子の軌道エネルギー×１秒間にできる熱粒子の数＝７．８５４×１０−５８Ｊｍ×１０２４個＝７．８５４×１０−３４Ｊｍです。
７．引力となる磁気の光子はどのような磁気の光子か。
電気の光子は、遠赤外線に変換し、無くなり、磁気の光子が残ります。磁気の光子は１個１個分離します。この公転の輪から分離した磁気の光子が引力に関与します。
引力は磁気の光子のエネルギーであり、この磁気の光子は自転でできた磁気の光子です。
８．１原子でできる、引力となる磁気の光子は、何個の磁気の光子か。１個の磁気の光子の軌道はいくらか。１個の磁気の光子のエネルギーはいくらか。１秒間にできる磁気の光子のエネルギーはいくらか。１秒間にできる磁気の光子の軌道エネルギーはいくらか。
引力は磁気の光子の軌道エネルギーであり、この磁気の光子は自転でできた磁気の光子です。
磁気の光子１個の軌道エネルギーは、６．１１２×１０−５７Ｊｍです。
この事に関して、私は、２００６年１１月１５日に提出した、特願２００６−３３６３５２、「素粒子の軌道質量と引力と熱」に記した。
１原子でできる、引力となる磁気の光子の軌道エネルギーは、１．３６１×１０−３２Ｊｍです。
・１原子でできる、引力となる磁気の光子は、何個の磁気の光子か。
１原子でできる、引力となる磁気の光子の軌道エネルギー÷磁気の光子１個の軌道エネルギー＝１．３６１×１０−３２Ｊｍ÷（６．１１２×１０−５７Ｊｍ）＝２．２２７×１０２４個、です。
１原子で引力になっている磁気の光子のエネルギー１．３６１×１０−３２Ｊは、２．２２７×１０２４個の磁気の光子です。これは、１秒間の自転数です。
即ち、電子のラブが１秒間に作った磁気の光子が、遠赤外線の軌道で、電気の光子の軌道が切れて、１個１個に分離した。引力となっているのはこの１秒間にできた磁気の光子です。
・１個の磁気の光子の軌道はいくらか。
１個の磁気の光子の軌道は、遠赤外線の波長÷２÷１０８個です。
例えば、遠赤外線の波長が７．５×１０−５ｍの場合、
磁気の光子１個の軌道＝７．５×１０−５ｍ÷２÷１０８個＝３．７５×１０−１３ｍ、です。
・１個の磁気の光子のエネルギーはいくらか。
１個の磁気の光子のエネルキーは、
１個の磁気の光子の軌道エネルギー÷磁気の光子の軌道＝６．１１２×１０５７Ｊｍ÷磁気の光子の軌道、です。
例えば、遠赤外線の波長が７．５×１０−５ｍの場合、
磁気の光子のエネルギー＝６．１１２×１０５７Ｊｍ÷（３．７５×１０−１３ｍ）＝１．６３×１０−４４Ｊ、です。
・１秒間にできる磁気の光子のエネルギーはいくらか。
１秒間にできる磁気の光子のエネルギーは、１秒間に、２．２２６×１０２４個できるとすると、
１個の磁気の光子のエネルギー×２．２２６×１０２４個、です。
例えば、遠赤外線の波長が７．５×１０−５ｍの場合、
１秒間にできる磁気の光子のエネルギー＝１．６３×１０−４４Ｊ×２．２２６×１０２４個＝３．６２８×１０−２０Ｊ、です。
・１秒間にできる磁気の光子の軌道エネルギーはいくらか。
１秒間にできる磁気の光子の軌道エネルギーは、
１個の磁気の光子の軌道エネルギー×磁気の光子の数
例えば、遠赤外線の波長が７．５×１０−５ｍの場合、
１秒間にできる磁気の光子の軌道エネルギー＝６．１１２×１０５７Ｊｍ×２．２２６×１０２４個＝１．３６１×１０−３２Ｊｍ、です。
この事によって、引力は１秒間にできる磁気の光子の軌道エネルギーであることが理解できた。
９．地球の引力はどのようにできるか。
私は、２００７年１１月１９日に提出した、特願３２５２６３の「宇宙６」で、次のように記した。
（地球の核でできた電気の光子と磁気の光子は、地球の外に出て、地磁気になる。
地球のマントルでできた電気の光子と磁気の光子は、地球の外に出て、バン・アレン帯の外帯になる。
地球の地殻でできた電気の光子と磁気の光子は、地球の外に出て、バン・アレン帯の内帯になる。）
しかし、電気の光子のエネルギーは、熱エネルギーに変換し、無くなったので、残ったのは磁気の光子です。
それで、次のように訂正する。
地球の核でできた磁気の光子は、地球の外に出て、地磁気になる。
地球のマントルでできた磁気の光子は、地球の外に出て、バン・アレン帯の外帯になる。
地球の地殻でできた磁気の光子は、地球の外に出て、バン・アレン帯の内帯になる。
よって、
地表の引力になっているのは、地球の核や、マントルや、地殻でできた磁気の光子ではない。
地球の引力になっているのは、地表でできた磁気の光子である。
１０．地表の磁気の光子のエネルギーはいくらか。
従来、地球の引力の計算は、地球の中央に地球の全ての質量があると考え、地表にある物質との距離を地球の半径とし、計算している。
・地表の磁気の光子の軌道エネルギーはいくらか。
地球が作る引力は、５．９７４×１０２４Ｋｇ×（６．６７２×１０−１１Ｎｍ２／Ｋｇ２）１／２＝５．９７４×１０２４Ｋｇ×８．１６８×１０−６Ｊｍ／Ｋｇ＝４．８８×１０１９Ｊｍ、です。
地球が作る引力は、４．８８×１０１９Ｊｍです。
地表の引力はいくらか。
地表の引力＝地球が作る引力÷地球の半径２＝４．８８×１０１９Ｊｍ÷（６．３７８×１０６ｍ）２＝１．２×１０６Ｊｍ
地表の引力は、１．２×１０６Ｊｍです。
また次のようにも計算できる。
１Ｋｇの引力×地球の引力÷１ｍ２＝９．８
地球の引力＝９．８×１ｍ２÷１Ｋｇの引力＝９．８×１ｍ２÷（６．６７２×１０−１１Ｎｍ２）１／２＝９．８×１ｍ２÷（８．１６８×１０−６）Ｊｍ＝１．２×１０６Ｊｍ
１１．地表の引力は、地球の表面でできる引力の何倍か。それは地下何ｍまでの原子が作ったのか。
・地球の表面の原子数はいくらか。
地球の原子数は、６×１０２６個×５．９７４×１０２４Ｋｇ＝３．５８４×１０５１個です。
半径の原子数をｒとする。
４π÷３×ｒ３＝３．５８４×１０５１個
ｒ３＝３．５８４×１０５１個÷４π×３＝８５６×１０４８個
ｒ＝９．５×１０１６個
地球の表面の原子数は、
４πｒ２＝４π（９．５×１０１６個）２＝１．１３４×１０３５個、です。
・地球の表面の原子数でできる引力はいくらか。
１原子でできる引力×表面の原子数＝１．３６１×１０−３２Ｊｍ×１．１３４×１０３５個＝１．５４３×１０３Ｊｍ
・地表の表面の引力は、地球の表面でできる引力の何倍か。
地表の引力÷地球の表面でできる引力＝１．２×１０６Ｊｍ÷（１．５４３×１０３Ｊｍ）＝７．７７７×１０２、倍です。
・これは地下何ｍまでの原子か。
１原子の大きさは約１０−１０ｍですから、
１原子の大きさ×７７７個＝１０−１０ｍ×７７７＝７．７×１０−８ｍ、です。
地下７．７×１０−８ｍまでの原子が作る磁気の光子が地表の引力になっている。
しかし、地球の表面は、山や川や木があるので、ほぼ表面の原子の電子のラブが作る磁気の光子が地表の引力を作っていると考えられる。
１２．地球の核やマントルや地殻から１秒間に出る磁気の光子のエネルギーはいくらか。地球の核でできた電気の光子は熱となり、磁気の光子は１個１個に分離し、地球を出る。地球を出る軌道は遠赤外線より大きいです。地表から出る軌道と同じ軌道の磁気の光子が出る。
地球の核から出る磁気の光子のエネルギー＝１原子で１秒間にできる引力となる磁気の光子のエネルギー×核の原子数＝１．３６１×１０−３２Ｊ×６×１０２６個×核の質量Ｋｇ＝１．３６１×１０−３２Ｊ×６×１０２６個×１．８７６×１０２４Ｋｇ＝４．０６３×１０２１Ｊ
地球の核から１秒間に出る磁気の光子のエネルギーは、４．０６３×１０２１Ｊです。これが地磁気になる。
地球のマントルから出る磁気の光子のエネルギー＝１原子で１秒間にできる引力となる磁気の光子のエネルギー×マントルの原子数＝１．３６１×１０−３２Ｊ×６×１０２６個×マントルの質量Ｋｇ＝１．３６１×１０−３２Ｊ×６×１０２６個×４．０５６×１０２４Ｋｇ＝３．３１２×１０１９Ｊ
地球のマントルから１秒間に出る磁気の光子のエネルギーは、３．３１２×１０１９Ｊです。これがバン・アレン帯の外帯の磁気になる。
地球の地殻から出る磁気の光子のエネルギー＝１原子で１秒間にできる引力となる磁気の光子のエネルギー×地殻の原子数＝１．３６１×１０−３２Ｊ×６×１０２６個×地殻の質量Ｋｇ＝１．３６１×１０−３２Ｊ×６×１０２６個×０．０４３×１０２４Ｋｇ＝３．５１１×１０１７Ｊ
地球の地殻から１秒間に出る磁気の光子のエネルギーは、３．５１１×１０１７Ｊです。これがバン・アレン帯の内帯の磁気になる。
【発明の効果】
【０００６】次のことが理解できた。
１．地球の中で、電子のラブの自転と公転によってできた磁気の光子と電気の光子は、まず遠赤外線となり電気の光子のエネルギーは熱エネルギーに変換する。
この現象は、磁気の光子の軌道が大きくなり、磁気の光子は１個１個分離して存在するようになる時、電気の光子の軌道が切れる。電気の光子の軌道が切れると、熱粒子になる。この熱粒子に熱エネルギーがある。電気の光子の軌道に約１０８個の磁気の光子が存在するので、１個の電気の光子の軌道は１０８箇所で切れ、１０８個の熱粒子ができる。熱粒子１個のエネルギーは、遠赤外線の電気の光子のエネルギーの１０８分の１です。熱粒子１個の半径は約１０−１３ｍで、エネルギーは約１０−４５Ｊです。
１．地球の中で、電子のラブの自転と公転によってできた磁気の光子と電気の光子は、まず遠赤外線となり電気の光子のエネルギーは熱エネルギーに変換する。残った磁気の光子は、１個１個分離した状態で存在する。この磁気の光子の軌道は、遠赤外線の１０８分の１です。１個の磁気の光子の軌道エネルギーは、６．１１２×１０５７Ｊｍです。１原子でできる引力となる磁気の光子の軌道エネルギー１．３６１×１０−３２Ｊｍは、２．２２７×１０２４個の磁気の光子です。これは１秒間にできる磁気の光子です。
引力は、電子のラブが１秒間に作る磁気の光子が、１個１個分離した状態で存在するときの磁気の光子によってできる。
１．地球の表面の原子の電子のラブが作る電気の光子は熱になり、無くなります。磁気の光子は１個１個に分離し引力を作ります。
１原子の電子のラブが作る引力となる磁気の光子の軌道エネルギーは、１．３６１×１０−３２Ｊｍです。
地表の引力となる磁気の光子の軌道エネルギーは、１．２×１０６Ｊｍです。
これは、１．２×１０６Ｊｍ÷（１．３６１×１０−３２Ｊｍ）＝８．８１７×１０３７個の原子でできる。
地球の表面の原子数は、１．１３４×１０３５個ですから、この８．８１７×１０３７原子÷（１．１３４×１０３５個）＝７．７７５×１０２倍の原子が地表の引力を作っている。
１．地球の核から１秒間に出る磁気の光子のエネルギーは、４．０６３×１０２１Ｊです。これが地磁気になる。
地球のマントルから１秒間に出る磁気の光子のエネルギーは、３．３１２×１０１９Ｊです。これがバン・アレン帯の外帯の磁気になる。
地球の地殻から１秒間に出る磁気の光子のエネルギーは、３．５１１×１０１７Ｊです。これがバン・アレン帯の内帯の磁気になる。
【図面の簡単な説明】
【０００７】
【図１】熱とは、電気の光子の軌道が切れたものです。電気の光子の軌道は、磁気の光子が１個１個分離する時、約１０８個に切れます。その切れたものが熱です。切れた軌道が熱の粒子になります。熱の粒子を「熱粒子」となづける。・熱粒子の半径は、熱粒子の半径をｒとします。熱粒子の２πｒ＝遠赤外線の波長÷１０８個、です。２ｒ＝遠赤外線の波長÷１０８個÷π例えば、遠赤外線の波長を７．５×１０−５ｍとしますと、熱粒子のｒ＝７．５×１０−５ｍ÷１０８個÷２π＝１．１９４×１０−１３ｍです。軌道は、２×１．１９４×１０−１３ｍ＝２．３８８×１０−１３ｍです。・熱粒子１個のエネルギーは、１個の電気の光子の軌道が１０８等分され、１個の熱粒子になりますから、熱粒子１個のエネルギーは、電気の光子１個のエネルギー÷１０８個、です。例えば、遠赤外線の波長を７．５×１０−５ｍとすると、熱粒子１個のエネルギーは、１．２３３×１０−４１Ｊｍ÷（７．５×１０−５ｍ÷２）÷１０８個＝３．２８８×１０−４５Ｊです。・熱粒子１個の軌道エネルギーは、軌道×熱粒子１個のエネルギー＝遠赤外線の波長÷１０８個÷π×１．２３３×１０−４１Ｊｍ÷（遠赤外線の波長÷２）÷１０８個＝７．８５４×１０−５８Ｊｍです。例えば、遠赤外線の波長を７．５×１０−５ｍとすると、熱粒子１個の軌道エネルギーは、軌道×熱粒子１個のエネルギー＝２．３８８×１０−１３ｍ×３．２８８×１０−４５Ｊ＝７．８５２×１０−５８Ｊｍです。
【図２】引力は磁気の光子の軌道エネルギーであり、この磁気の光子は自転でできた磁気の光子です。磁気の光子１個の軌道エネルギーは、６．１１２×１０−５７Ｊｍです。１原子でできる、引力となる磁気の光子の軌道エネルギーは、１．３６１×１０−３２Ｊｍです。１原子でできる、引力となる磁気の光子は、何個の磁気の光子か。１原子でできる、引力となる磁気の光子の軌道エネルギー÷磁気の光子１個の軌道エネルギー＝１．３６１×１０−３２Ｊｍ÷（６．１１２×１０−５７Ｊｍ）＝２．２２７×１０２４個、です。１原子で引力になっている磁気の光子のエネルギー１．３６１×１０−３２Ｊは、２．２２７×１０２４個の磁気の光子です。これは、１秒間の自転数です。即ち、電子のラブが１秒間に作った磁気の光子は、遠赤外線の軌道で、電気の光子の軌道が切れて、１個１個に分離した。引力となっているのはこの１秒間にできた磁気の光子です。・１個の磁気の光子の軌道はいくらか。１個の磁気の光子の軌道は、遠赤外線の波長÷２÷１０８個です。例えば、遠赤外線の波長が７．５×１０−５ｍの場合、磁気の光子１個の軌道＝７．５×１０−５ｍ÷２÷１０８個＝３．７５×１０−１３ｍ、です。・１個の磁気の光子のエネルギーはいくらか。１個の磁気の光子のエネルギーは、１個の磁気の光子の軌道エネルギー÷磁気の光子の軌道＝６．１１２×１０５７Ｊｍ÷磁気の光子の軌道、です。例えば、遠赤外線の波長が７．５×１０−５ｍの場合、磁気の光子のエネルギー＝６．１１２×１０５７Ｊｍ÷（３．７５×１０−１３ｍ）＝１．６３×１０−４４Ｊ、です。・１秒開にできる磁気の光子のエネルギーはいくらか。１秒間にできる磁気の光子のエネルギーは、１秒間に、２．２２６×１０２４個できるとすると、１個の磁気の光子のエネルギー×２．２２６×１０２４個、です。例えば、遠赤外線の波長が７．５×１０−５ｍの場合、１秒間にできる磁気の光子のエネルギー＝１．６３×１０−４４Ｊ×２．２２６×１０２４個＝３．６２８×１０−２０Ｊ、です。・１秒間にできる磁気の光子の軌道エネルギーはいくらか。１秒間にできる磁気の光子の軌道エネルギーは、１個の磁気の光子の軌道エネルギー×磁気の光子の数  例えば、遠赤外線の波長が７．５×１０−５ｍの場合、１秒間にできる磁気の光子の軌道エネルギー＝６．１１２×１０５７Ｊｍ×２．２２６×１０２４個＝１．３６１×１０−３２Ｊｍ、です。この事によって、引力は１秒間にできる磁気の光子の軌道エネルギーであることが理解できた。
【図３】地表の引力は、１．２×１０６Ｊｍです。これは、何原子でできる磁気の光子の軌道エネルギーか。１．２×１０６Ｊｍ÷（１．３６１×１０−３２Ｊｍ）＝８．８１７×１０３７個の原子でできる。地球の表面の原子の何倍か。８．８１７×１０３７個÷地球の表面の原子数＝８．８１７×１０３７個÷（１．１３４×１０３５個）＝７７７．５倍です。ほぼ地表の原子で地表の引力はできる。
【図４】地球の核から１秒間に出る磁気の光子のエネルギーは、４．０６３×１０２１Ｊです。これが地磁気になる。地球のマントルから１秒間に出る磁気の光子のエネルギーは、３．３１２×１０１９Ｊです。これがバン・アレン帯の外帯の磁気になる。地球の地殻から１秒間に出る磁気の光子のエネルギーは、３．５１１×１０１７Ｊです。これがバン・アレン帯の内帯の磁気になる。
【符号の説明】
１．電気の光子の軌道
２．１個の磁気の光子
３．電気の光子の軌道が切れる
４．熱粒子
５．引力となっている１個の磁気の光子。軌道は３．７５×１０−１３ｍ。エネルギーは１．６３×１０−４４Ｊ。軌道エネルギーは６．１１２×１０−５７Ｊｍ。
６．１原子の１電子のラブが１秒間に作る２．２２６×１０２４個の磁気の光子の集団。１個の磁気の光子の軌道エネルギーは６．１１２×１０−５７Ｊｍ。２．２２６×１０２４個の磁気の光子の軌道エネルギーは１．３６１×１０−３２Ｊｍ。
７．地表の引力
８．地表の原子数×７７７．５
９．地球の核
１０．地球のマントル
１１．地球の地殻
１２．地磁気
１３．バン・アレン帯の外帯
１４．バン・アレン帯の内帯
【図１】
2008193894.tif 000003
【図２】
2008193894.tif 000004
【図３】
2008193894.tif 000005
【図４】
2008193894.tif 000006